(57)【要約】【課題】血行動態検査および画像検査を一体化するためのシステムおよび方法を提供すること。【解決手段】患者について血行動態データおよび画像データが取得され、組み合わせられて、一体化された単一の報告書（４８）を生成する。血行動態システム（１２）は血行動態データを取得し、画像システム（１４）は画像データを取得する。報告書は、定量化データを含み、末梢動脈疾患の有無（および／または重症度）を確認する。血行動態システム（１２）および画像システム（１４）は無線で通信することができる。血行動態システム（１２）と画像システム（１４）は、共通の筺体（５０）内に含有され、単一の装置（５０）に一体化される。血行動態システム（１２）と画像システム（１４）は、患者の血圧を計測するように構成することができる。好ましくは、画像システム（１４）は、超音波画像システム（１４）である。【選択図】図２
2010172704.tif 000002
【特許請求の範囲】
【請求項１】
患者についての血行動態データを取得するように構成された血行動態システム（１２）と、
前記患者についての画像データを取得するように構成された画像システム（１４）と、
前記血行動態データおよび前記画像データを受け、前記血行動態データおよび前記画像データを一緒に組み合わせて前記血行動態データおよび前記画像データを一体化した単一の報告書（４８）を生成するように構成されたプロセッサ（５２）と、    を備える一体型医療システム。
【請求項２】
前記血行動態システム（１２）が、前記患者の血圧を計測するための血圧計測システム（６０、６２）を含むことを特徴とする請求項１記載の一体型医療システム。
【請求項３】
前記血圧計測システム（６０、６２）が、前記血圧を計測するために前記患者に取り付けるように構成された１つまたは複数の血圧バンド（６０）を含むことを特徴とする請求項２記載の一体型医療システム。
【請求項４】
前記血圧計測システム（６０、６２）が、少なくとも部分的に前記血行動態システム（１２）によって制御されることを特徴とする請求項２記載の一体型医療システム。
【請求項５】
前記血圧計測システム（６０、６２）が、少なくとも部分的に前記画像システム（１４）によって制御されることを特徴とする請求項２記載の一体型医療システム。
【請求項６】
前記画像システム（１４）が、超音波画像システム（１４）であることを特徴とする請求項１記載の一体型医療システム。
【請求項７】
前記血行動態システム（１２）および前記画像システム（１４）が、直接的に、間接的に、および／または無線で通信するように構成されることを特徴とする請求項１記載の一体型医療システム。
【請求項８】
前記血行動態システム（１２）および前記画像システム（１４）の両方が、共通の筺体（５０）内に含有される、かつ／あるいは単一の装置（５０）に一体化されることを特徴とする請求項１記載の一体型医療システム。
【請求項９】
前記血行動態データおよび前記画像データを一体化した前記報告書（４８）が、前記患者の末梢動脈疾患の症状を反映することを特徴とする請求項１記載の一体型医療システム。
【請求項１０】
患者の病状を監視する方法であって、
患者についての血行動態データを取得するステップと、
前記患者についての画像データを取得するステップと、
前記血行動態データおよび前記画像データを組み合わせて、前記血行動態データおよび前記画像データを一体化した単一の報告書（４８）にするステップとを含む方法。
【請求項１１】
前記血行動態データを取得するステップが、前記患者の血圧を計測するステップを含むことを特徴とする請求項１０記載の方法。
【請求項１２】
前記画像データを取得するステップが、前記患者の少なくとも１つの超音波画像を取得するステップを含むことを特徴とする請求項１０記載の方法。
【請求項１３】
前記血行動態データおよび前記画像データを一体化した前記報告書が、前記患者の末梢動脈疾患の症状を反映することを特徴とする請求項１０記載の方法。
【請求項１４】
前記血行動態データおよび前記画像データを組み合わせるステップが、前記血行動態データを、前記画像データを取得するように構成された画像システム（１４）に送信するステップを含み、前記血行動態データが、前記画像システム（１４）に直接的に、間接的に、および／または無線で送信されることを特徴とする請求項１０記載の方法。
【請求項１５】
前記血行動態データおよび前記画像データを組み合わせるステップが、前記画像データを、前記血行動態データを取得するように構成された血行動態システム（１２）に送信するステップを含み、前記画像データが、前記血行動態システム（１２）に直接的に、間接的に、および／または無線で送信されることを特徴とする請求項１０記載の方法。
【発明の詳細な説明】
【技術分野】
【０００１】
一般に、本発明の装置は、医療システムに関し、より具体的には血行動態システムおよび画像システムを一体化することに関する。
【背景技術】
【０００２】
血行動態は、生存する動物の体内の血流に関与するものである。血行動態に影響する要因としては、たとえばＣＯ、循環液量、呼吸、血管径、抵抗、および／または血液粘性があげられる。これらの要因の各々は、さらにヒトの体重、食習慣、運動、健康、病気、および／または疾患などの生理学的因子、ならびにヒトが使用していることがある任意の薬剤、薬物および／またはアルコールによって影響され得る。ヒトの血行動態の状態の把握は、ヒトの血液循環に沿ったさまざまな地点におけるヒトの血流の計測に頼ることが多い。
【０００３】
一方で、超音波は、とりわけ医療診断画像技術であり、たとえばヒトの筋肉、腱、および／または内臓器官を視覚化するために使用されることが多い。他の画像技術としては、たとえば汎用放射線、機能的画像、分子画像、血管画像、蛍光透視、マンモグラフィ、神経学、腫瘍学、無線薬理学、Ｘ線、コンピュータ断層撮影（ＣＴ）、核医学（ＮＭ）、陽電子放出断層撮影（ＰＥＴ）、磁気共鳴画像（ＭＲＩ）、および／またはフォトプレチィスモグラフィのための医用画像装置をあげることができる。本発明の装置は、特に超音波医用画像に関して説明するが、この点において限定されることはない。
【０００４】
ところで、従来の血行動態システムおよび画像システムは、以下で詳述するように別個かつ異種のシステムである。
【０００５】
北米およびヨーロッパでは、約２７００万人の人々が、末梢血管疾患（ＰＶＤ）および／または末梢動脈閉塞性疾患（ＰＡＯＤ）としても知られている末梢動脈疾患（ＰＡＤ）を患っていると推定される。末梢動脈疾患（ＰＡＤ）は、ヒトの腕および／または脚の大動脈の閉塞によって引き起こされることが多い。ＰＡＤは、しばしばアテローム性動脈硬化症、狭窄症をもたらす炎症過程、塞栓症、および／または血栓形成から生じ得る。ＰＡＤは、しばしばヒトの脚に急性および／または慢性の虚血（すなわち血液の供給不足）を引き起こすことが多い。さらに、５５才を超える年齢のヒトにおけるＰＡＤの有病率は約１０〜２５％であり、これは年齢と共に増加する。罹患した患者の約７０〜８０％は無症候性であるが、それ以外の患者は症候性である。ＰＡＤの一般的な症状は、以下の任意のものを含むことができる：特に歩行または走行中の片方または両方の脚の腓腹筋痛、足の有痛感覚および／またはうずき、あるいはヒトの四肢（たとえば腕および／または脚）のしびれおよび／または無感覚。
【０００６】
その結果、特に米国を含む多くの国で一般的であるように、一般的な高齢者および老齢層を含む患者に早期に治療を提供することを可能にするために、ＰＡＤを早期に発見し、監視する重要性が高まっている。一般に、ＰＡＤの発見は、通常、下半身の四肢に血液を供給する動脈を評価することを伴う。
【０００７】
症候性ＰＡＤが最初に疑われるとき、一般的な最初の検査が、患者の足関節上腕血圧比（ＡＢＰＩまたはＡＢＩ）を測定するために使用され、この検査は、ヒトの脚に血液を供給する動脈における、特にヒトの腕に対する圧力の降下を計測するものである。理想的には、ＡＢＰＩは少なくとも１であるべきである。ＡＢＰＩの低下（たとえば０．９未満）は、ＰＡＤの発症と一致し得、０．８未満のＡＢＰＩの数値は中程度の疾患であることを意味し得る。０．５未満のＡＢＰＩは、重症疾患を意味し得る。そのような測定は、しばしば「間接」評定と称され、患者の血圧、部分的な四肢圧力、つま先圧力、脈容量読み取り（ＰＶＲ）、運動負荷レベル、血液の酸素濃度（別名、酸素計測および／またはパルス酸素計側）、および／または皮膚温度を計測するなどの技術によって行われる。これらの試験の多くは、診療所、病院、および／または他の医療施設などの特別な環境で行われる。そのような血行動態システムによって実施される試験には、患者の体のさまざまな場所で患者に対してセンサを押し当てることがしばしば必要になる。
【０００８】
ところで、患者の血行動態の読取値が異常である、かつ／あるいは別の形のさらなる考慮に値する場合、一般的な次のステップは、特にもし大腿動脈においてアテローム性動脈硬化症がある場合、その部位および程度をさらに詳しく調べるために、患者の脚の下肢ドップラー超音波検査を行うステップを含む。そのような測定は、しばしば「直接」評定と称され、通常は血行動態評価をドップラー問い合わせおよび超音波画像と共に使用することにより、二重画像などの技術によって行われることが多い。多くの二重超音波システムは、高周波および低周波の両方の画像能力、ならびに高周波および低周波評価のための可聴および分光の両方のドップラー評価を含む。
【０００９】
しかし、上記で説明したような２つの異なる独立したシステム（たとえば１つは血行動態評定用、もう１つは超音波および／または他の画像用）を使用する際の問題の１つは、１人の患者に両方のシステムがしばしば必要とされることである。たとえば、１人の臨床医が、血行動態システムを使用してＰＡＤの初期診断を行うことがあり、その上別の臨床医が、次いで、超音波画像システムを使用してさらに分析することがあり、そのため２つのシステムは、独立的に別個に、かつしばしば別の介護者によって使用される。さらに、２つの異なる試験により、患者はおそらく別の日に２回以上の別個の予約を有する必要があり得る。患者はまた、異なる試験のために診療室および／または施設の間を移動することが必要になることもある。装置もまた、１人の患者の部屋から別の患者の部屋に移動され、最初に血行動態システムを、続いて次に超音波（または他の画像システム）を−あるいはその逆で運び入れることが必要になることもある。このため、とりわけ、スペース、時間、コスト、資本設備配分を無駄にするという欠点、ならびに人事的および／または他の非効率を生じさせる恐れがある。その結果、利便性および／または物資の手配のために介護者が直接評定または間接評定の１つだけを選択することは珍しいことではなく、患者の検査品質が損なわれることになる。したがって、患者、医療提供者、および／または医療施設の１つまたは複数は、それによって不便を被る。
【００１０】
さらに、１人の患者に両方のシステムが使用されるとき、別個に利用されるシステムから生成されるデータは、別個に受けられ、別個に評価され、別個の報告書で提供される。したがって、血行動態システムおよび画像システムの所見を組み合わせた一体的な単一の報告書が有利になるはずである。さらに、別個の試験システムを実施および処理するのに必要とされる時間は、相当なものになる。
【先行技術文献】
【特許文献】
【００１１】
【特許文献１】米国特許第５６３０４２４号公報
【特許文献２】米国特許第５７１８２３２号公報
【特許文献３】米国特許第６０１７３０７号公報
【特許文献４】米国特許第６１４９５８７号公報
【特許文献５】米国特許第６１５２８８１号公報
【特許文献６】米国特許第７１７２５５５号公報
【特許文献７】米国特許第７２１４１９２号公報
【非特許文献】
【００１２】
【非特許文献１】Ｕｎｅｔｉｘｓ、ＭｕｌｔｉＬａｂ  Ｓｅｒｉｅｓ  ＩＩ  ＬＨＳ−ＩＭＧ、ｒｅｔｒｉｅｖｅｄ  ｆｒｏｍ  ｔｈｅ  ｉｎｔｅｒｎｅｔ  ｏｎ  ０１／２８／２００９  ｖｉａ  ＵＲＬ：ｈｔｔｐ：／／ｗｗｗ．ｕｎｅｔｉｘｓ．ｃｏｍ／ｍｕｌｔｉｌａｂ−２−ｌｈｓ−ｉｍｇ．ｈｔｍｌ
【発明の概要】
【発明が解決しようとする課題】
【００１３】
少なくとも上述の結果、特にＰＡＤを監視するために、血行動態システムおよび超音波画像システムなどの画像システムからの患者のワークフローおよび医療評価を組み合わせた総合的な一体型システムを有することが有利になるはずである。また、両方のシステムからのデータを組み合わせた包括的な報告書もまた、患者、医療提供者、および／または医療施設にとって有利になるはずである。
【課題を解決するための手段】
【００１４】
１つの実施形態では、一体型医療システムは、血行動態システムと、画像システムと、プロセッサとを備える。血行動態システムは、患者の血圧などの患者についての血行動態データを取得し、一方で画像システムは、患者の超音波画像などの患者についての画像データを取得する。次いでプロセッサは、血行動態データおよび画像データを組み合わせて、血行動態データおよび画像データを一体化した単一の報告書にする。血行動態システムおよび／または画像システムのいずれか一方または両方は、患者の血圧を計測するために使用され得る。好ましくは、画像システムは超音波画像システムであり、血行動態システムおよび画像システムは、直接的に、間接的に、および／または無線で通信することができる。さまざまな実施形態では、これらのシステムを共通の筺体内に含有する、かつ／あるいは単一の装置に一体化することができ、好ましくは報告書は、患者の末梢動脈疾患を反映する。したがって、患者についての血行動態データおよび画像データが取得されるところで、これらが組み合わされて血行動態データおよび画像データを一体化した単一の報告書になる。血行動態データおよび画像データを組み合わせる際、血行動態データを画像システムに送信することができ、および／またはその逆、すなわち画像データを血行動態システムに送信することができる。これらのデータはそれらの間において直接的に、間接的に、および／または無線で送信することができる。結果的に、末梢動脈疾患を診断するためのワークフローが改良される。
【００１５】
本発明の装置を構成する利点および特徴ならびにそのような装置によって提供された一般的な機構のさまざまな構築および作動態様の明確な概念は、本明細書の不可欠な部分を形成する、以下の説明的、例示的、代表的、および非限定的な図を参照することによって容易に明白になる。図中、同様の番号は、通常、複数の図において同じ要素を示す。
【図面の簡単な説明】
【００１６】
【図１】患者における末梢動脈疾患（ＰＡＤ）を診断するために使用される一般的なワークフローの手順の従来技術の概略図である。
【図２】特に本発明の装置に合わせた、患者におけるＰＡＤを診断するために使用される改良されたワークフローの手順の新規の概略図である。
【図３Ａ】ここでも特に本発明の装置に合わせた、患者におけるＰＡＤを診断するために使用される代替の新規のシステムを示す図である。
【図３Ｂ】ここでも特に本発明の装置に合わせた、患者におけるＰＡＤを診断するために使用される代替の新規のシステムを示す図である。
【図３Ｃ】ここでも特に本発明の装置に合わせた、患者におけるＰＡＤを診断するために使用される代替の新規のシステムを示す図である。
【発明を実施するための形態】
【００１７】
次に図を参照すると、本発明の装置の好ましい実施形態が、血行動態監視システムおよび超音波画像システムに関して説明される。しかし、本発明の装置はこの点において限定されるものではない。たとえば、さまざまに説明する実施形態は、診断の文脈で超音波画像システムを提供することができるが、さまざまな他の画像技術をおよび／またはそのようなものを含む他の文脈もまた、本明細書によって企図される。
【００１８】
ところで、図１を参照すると、患者（図示せず）における末梢動脈疾患（ＰＡＤ）を診断するために使用される一般的なワークフローの手順１０の従来技術の概略図が示されている。より具体的には、血行動態システム１２および超音波画像システムなどの画像システム１４の両方が、患者におけるＰＡＤを診断するために使用される。しかし、図示するように、血行動態システム１２および画像システム１４の両方は別個のシステムであり、それらの間には物理的、電気的および／または別の形の接続は存在していない。
【００１９】
図に示すように、医療提供者（図示せず）は、最初のステップ１６で患者のデータを血行動態システム１２に入力し、その後次のステップ１８で、血行動態検査が、特に血行動態システム１２などの血行動態装置を用いて患者に対して実施される。次のステップ２０で、血行動態システム１２（および／または他のもの）を使用して血行動態報告書を生成し、その後、本発明の目的のために、画像検査もまた望ましいことが想定され、そのため次のステップ２２で、患者の面前から血行動態装置が取り除かれる。次のステップ２４では、特に超音波検査などの画像検査のために、画像システム１４などの画像装置が患者の面前に運び入れられる。したがって、次のステップ２６では、最初の医療提供者と同じでも、同じでなくてもよい超音波検査者などの別の医療提供者（図示せず）が、ここでも患者のデータを画像システム１４に入力（および／または再入力）し、その後次のステップ２８で、画像検査が、特に画像システム１４などの画像装置を用いて患者に対して実施される。最後のステップ３０で、画像システム１４（および／または他のもの）を使用して画像報告書を生成し、その後、血行動態報告書および画像報告書は、患者におけるＰＡＤの存在および／または症状を評価するために別個に使用される。
【００２０】
上記で説明したように、一般的な血行動態検査は、血圧スクリーニング、ＥＣＧ監視、血液中酸素化の計測、および／またはそのようなものを含むことができる。同様に、一般的な画像検査は、この文脈ではたとえば患者の動脈系の一部分を撮像し、かつ／あるいはヒトの血流速度を測定するために一般的に使用される超音波画像検査を含むことができる。したがって、血行動態報告書は血行動態データを含有し、同様に別個の画像報告書は画像データを含有し、これらのデータは、一緒にしたときに、患者のＰＡＤの症状の診断に使用することができる。
【００２１】
ステップ２２で説明したように、血行動態装置は、たとえば患者の部屋（図示せず）から外に移動されて別の場所（図示せず）で格納および／または使用される。あるいは、当然ながら、患者が別の部屋（図示せず）および／またはそのようなところに物理的に移動することもでき、そのためステップ２２では、患者は、血行動態装置のあるところ（または少なくとも近傍）にはもはやいない。その結果、ステップ２４で説明したように、次いで画像装置が患者の部屋に運び込まれ（および／または別の方法で患者がそこに向かって移動し）、その場所で画像検査のために画像装置を患者の近傍に設置することができる。説明したように、患者のデータは、血行動態システム１２および画像システム１４それぞれに対し、ステップ１６および２６で別個に入力される。
【００２２】
図１のワークフローの手順１０から明らかであるように、重複した機能が介護者（複数可）によって実施され、その最終結果が２つの別個の報告書を生成し、そのいずれもが患者におけるＰＡＤの潜在的な発生率に関するデータを提供している。そのようなワークフローの手順１０を最初から最後まで完了する時間は、患者１人当たり平均約７２分と推定される。
【００２３】
上記で述べたコストおよび時間の制約の結果、血行動態検査または画像検査のみが選択されることが多い。しかし、直接評定および間接評定のいずれもが限界を有している。したがって、患者の検査品質が損なわれる。しかし、直接評定および間接評定の両方が展開されるとき、これらの評定は、最適な評価およびより正確な総合的評定を患者に提供する。
【００２４】
次に図２を参照すると、患者（図示せず）におけるＰＡＤを診断するために使用される改良されたワークフローの手順３２の新規の概略図が示される。より具体的には、患者におけるＰＡＤを診断するために、血行動態システム１２および超音波画像システムなどの画像システム１４がここでも使用される。しかし、図示するように、血行動態システム１２および画像システム１４は、ここでは、たとえばシリアルケーブル、パラレルケーブル、光ファイバーリンク、ＵＳＢポート、ＬＡＮ線および／またはそのようなものなどの直接接続３４を用いて互いに通信する。別の実施形態では、血行動態システム１２および画像システム１４は、たとえば間接および／または無線の接続３６を用いて、特にたとえば両方のシステム１２、１４によってそれぞれ支持された送受信機３８、４０（および／またはそのようなもの）を用いて互いに通信する。いずれの場合も、血行動態データは、画像システム１４で利用可能になり、および／またはその逆、すなわち画像データは血行動態システム１２で利用可能になる。
【００２５】
図に示すように、医療提供者（図示せず）は、最初のステップ４２で患者のデータを血行動態システム１２または画像システム１４（または他のもの）に入力し、その後次のステップ４４で、血行動態検査が、特に血行動態システム１２などの血行動態装置を用いて患者に対して実施され、その後、本発明の目的のために、画像検査もまた望ましいことが想定され、そのため次のステップ４６で、画像検査が、特に画像システム１４などの画像装置を用いて患者に対して実施される。いずれのシステム１２、１４も、１回の評価／検査中に１回、医療提供者が利用することができた。次いで最後のステップ４８で、組み合わされた血行動態報告書および画像報告書が生成されて、患者におけるＰＡＤの存在および／または症状の評価に使用される。図に示すように、特に血行動態システム１２および画像システム１４は、ここでは直接接続３４または間接および／または無線の接続３６を介して互いに通信するため、患者のデータをステップ４２で１回入力するだけでよく、図１のワークフローの手順１０と同様に繰り返し行う必要はない。したがって、患者のデータは、ステップ４２などで１回だけ入力されると、次いで血行動態システム１２および画像システム１４の両方によって共有される。
【００２６】
したがって、患者の検査は、任意の特定の順番（すなわち最初に血行動態検査または最初に画像検査）で患者に対して実施することができ、ＰＡＤを診断するための試験は、間接評価用のものならびに直接評価用のものを含むことができ、すなわち試験を、それぞれ血行動態システム１２によって、ならびに画像システム１４によって実施することができる。さらに、ワークフローの手順３２の終わりに、血行動態検査からの血行動態データおよび画像検査からの画像データを含む包括的な報告書が生成される。
【００２７】
図１と同様に、一般的な血行動態検査は、血圧スクリーニング、ＥＣＧ監視、血液酸素化の計測、および／またはそのようなものを含むことができる。同様に、一般的な画像検査は、この文脈では、たとえば患者の動脈系の一部分を撮像し、かつ／あるいはヒトの血流速度を測定するために一般的に使用される超音波画像検査を含むことができる。したがって、組み合わされた報告書は、患者のＰＡＤ症状を診断するために使用できる血行動態データおよび画像データを含有する。
【００２８】
血行動態システム１２および画像システム１４は、ここでは直接接続３４および／または間接および／または無線の接続３６を介して通信するため、システムごとに患者のデータを別個に入力する必要性が、それによって解消される（たとえば図１のステップ１６および２６を参照）。さらに、血行動態システム１２および画像システム１４が、共通のプラットフォーム５０下に一緒にまとめられる場合、血行動態装置を患者の面前から取り除き、画像装置を患者の面前に別個に運び入れる必要性もまた、それによって解消される（たとえば図１のステップ２２および２４を参照）。
【００２９】
図１のワークフローの手順１０と図２のワークフローの手順３２の比較から明らかなように、別個の介護者による重複した機能の実施が解消され、その最終結果が２つではなく１つの報告書を生成し、患者におけるＰＡＤの潜在的な発生率に関する包括的なデータを提供する。そのようなワークフローの手順３２を開始から終了まで完了する時間は、１人の患者あたり平均約４８分であり、あるいは図１のワークフローの手順１０を大きく下回ることが推定される。したがって、診断は、より高い効率性、コスト効果、およびより優れた正確性を伴って完了することができる。
【００３０】
本発明の装置に合わせて、血行動態システム１２、画像システム１４、および／または共通のプラットフォーム５０の少なくとも１つまたは複数は、血行動態システム１２によって取得された血行動態データならびに画像システム１４によって取得された画像データを受けるプロセッサ５２を含む。プロセッサ５２は、データを組み合わせて一体的なデータセットにし、このデータセットは、血行動態データおよび画像データの両方を組み合わせたものであり、特に両方のデータセットを含む、患者のＰＡＤの症状に関する組み合わされた包括的な報告書を提供するためにプリンタ５４によって打ち出しすることができる。さらなる選択肢として、特にプリンタ５４と接続してまたはこれに対する補助として、血行動態システム１２および画像システム１４からの組み合わされたデータを、医療施設（図示せず）および／または別の場所（図示せず）内の中央データサイト５６に送りおよび／または保存することもできる。
【００３１】
次に図３Ａ〜３Ｃを参照すると、本発明の装置のさらなる使用を示すさまざまな例示的な実施形態が示されている。したがって、図では、たとえば脚５８の長さに沿ってずらされた複数の血圧バンド６０を有する患者の脚５８を見ることができる。圧力マニフォールド６２が、血圧バンド６０と圧力マニフォールド６２の間に連結された１つまたは複数の導管６４を介して血圧バンド６０を加圧および減圧するために提供される。
【００３２】
図３Ａに示す実施形態では、血行動態システム１２が、圧力マニフォールド６２内の圧力を、リンク６６を通して制御し、したがって１つまたは複数の導管６４を介して血圧バンド６０の膨張および収縮を制御する。血圧バンド６０の膨張および収縮によって検出された圧力は、フィードバックリンク６８を介して血行動態システム１２によって検出される。したがって、この実施形態では、血行動態システム１２は、血圧バンド６０内の圧力を制御し、さらに血圧バンド６０内の圧力を検出する。次いで、リンク７０が、血行動態圧力データを画像システム１４に送り、それによって血行動態データは、患者（すべては図示せず）のＰＡＤ症状を診断するために、画像システム１４によって取得されたデータと組み合わされる。リンク７０は、直接接続３４または間接および／または無線の接続３６でよい（たとえば図２を参照）。したがって、血行動態データは、リンク７０を介して画像システム１４に送られ、それによって血行動態データは、好ましくは画像システム１４によって収集された画像データと一体化され、好ましくは画像データと一緒に組み合わされて、血行動態データおよび画像データの両方を詳述する、一体的および／または包括的な報告書を作り出す。
【００３３】
図３Ｂに示す実施形態では、画像システム１４が、圧力マニフォールド６２内の圧力を、リンク７２を通して制御し、したがって１つまたは複数の導管６４を介して血圧バンド６０の膨張および収縮を制御する。血圧バンド６０の膨張および収縮によって検出された圧力は、ここでもフィードバックリンク６８を介して血行動態システム１２によって検出される。したがって、この実施形態では、画像システム１４は、血圧バンド６０内の圧力を制御するが、血行動態システム１２は、血圧バンド６０内の圧力を検出する。次いでリンク７４が、血行動態圧力データを画像システム１４に送り、それによって血行動態データは、患者（すべては図示せず）のＰＡＤ症状を診断するために、画像システム１４によって取得されたデータと組み合わされる。リンク７４は、直接接続３４または間接および／または無線の接続３６でよい（たとえば図２を参照）。したがって、血行動態データは、リンク７４を介して画像システム１４に送られ、それによって血行動態データは、好ましくは画像システム１４によって収集された画像データと一体化され、好ましくは画像データと一緒に組み合わされて、血行動態データおよび画像データの両方を詳述する、一体的および／または包括的な報告書を作り出す。
【００３４】
図３Ｃに示す実施形態では、血行動態システム１２および画像システム１４は、組み合わされて共通のプラットフォーム５０になる。したがって、組み合わされたプラットフォーム５０は、血行動態システム１２および画像システム１４両方のすべての機能を含有する。したがって、このプラットフォーム５０もまた、圧力マニフォールド６２内の圧力を、リンク７６を通して制御し、したがって１つまたは複数の導管６４を介して血圧バンド６０の膨張および収縮を制御する。血圧バンド６０の膨張および収縮によって検出された圧力は、共通のプラットフォーム５０によってフィードバックリンク７８を介して検出される。したがって、この実施形態では、共通のプラットフォーム５０は、血圧バンド６０内の圧力を制御し、さらに血圧バンド６０内の圧力を検出する。血行動態システム１２および画像システム１４は、共通のプラットフォーム５０に組み合わされるため、別のリンク（たとえば図３Ａのリンク７０および／または図３Ｂのリンク７４）は必要でない、および／またはその内部にあり、それによって血行動態データは、患者（すべては図示せず）のＰＡＤ症状を診断するために、画像システム１４によって取得されたデータと組み合わされる。したがって、血行動態データは、好ましくは画像システム１４によって収集された画像データと一体化され、好ましくは画像データと一緒に組み合わされて、血行動態データおよび画像データの両方を詳述する、一体的および／または包括的な報告書を作り出す。
【００３５】
図３Ｃに示す実施形態で説明したように、血行動態システム１２および画像システム１４は、共通のプラットフォーム５０内に物理的に組み込まれて、血行動態システム１２および画像システム１４の両方の機能を共通の筺体内の単一の装置内に含む単一の一体型システムを作り出し、その結果両方のシステム１２、１４は、たとえば共通のプラットフォーム５０を介する一体型装置として一緒に運搬可能になることが理解され得る。血行動態システム１２および画像システム１４は、共通の筺体内に含有され、および／または一体化されて単一の装置になることができる。
【００３６】
上述によれば、１つの技術効果は、血行動態システム１２を画像システム１４に組み合わせて共通のプラットフォーム５０にして患者、医療提供者、および／または医療施設のＰＡＤ診断のワークフロー３２を改良することである。
【００３７】
したがって、本明細書が、本発明の装置の説明的、例示的、代表的、および非限定的な実施形態を説明することが容易に明白になるはずである。したがって、本発明の装置の範囲は、これらの実施形態のいずれにも限定されることはない。それよりも、実施形態のさまざまな詳細および特徴は、必要に応じて開示された。したがって、当業者に容易に明白であるように、多くの変更および改変が、本発明の趣旨から逸脱することなく本発明の装置の範囲内にあり、本発明の装置はその包括的なものである。したがって、本発明の装置の範囲および趣旨を公知とするために、添付の通りに特許請求が行われる。
【符号の説明】
【００３８】
１０  ワークフロー手順（従来技術）
１２  血行動態システム
１４  画像システム
１６〜３０  ステップ
３２  （改良された）ワークフロー手順
３４  直接接続
３６  間接および／または無線の接続
３８、４０  送受信機
４２〜４８  ステップ
５０  共通のプラットフォーム
５２  プロセッサ
５４  プリンタ
５６  中央データサイト
５８  脚
６０  血圧バンド
６２  圧力マニフォールド
６４  導管
６６、７０、７４、７６  リンク
６８、７２、７８  フィードバックリンク
【図１】
2010172704.tif 000003
【図２】
2010172704.tif 000004
【図３Ａ】
2010172704.tif 000005
【図３Ｂ】
2010172704.tif 000006
【図３Ｃ】
2010172704.tif 000007